(57)【要約】【課題】  スタジオ内の照明装置や空調装置を円滑に立ち上げてスムーズかつ快適な撮影が行える写真撮影システムを提供する。【解決手段】  顧客情報を入力する入力手段より入力された顧客情報と撮影スタジオでの撮影手順を設定した撮影プログラムとを記憶する記憶手段と、被写体を撮影する撮影手段と、照明手段と、記憶手段に記憶された顧客情報と撮影プログラムに基づいて照明手段の作動を制御する制御手段とを有する写真撮影システム。【選択図】        図３
2006243601.tif 000002
【特許請求の範囲】
【請求項１】
顧客情報を入力する入力手段と、
撮影スタジオでの撮影手順を設定した撮影プログラムと、
該入力手段より入力された顧客情報と該撮影プログラムとを記憶する記憶手段と、
カメラマンにより被写体である人物を撮影する撮影手段と、
該撮影手段により撮影を行う際に該被写体に照明を行う照明手段と、
該撮影スタジオでの撮影を制御する制御手段と、を有し、
該制御手段は、
該記憶手段に記憶される顧客情報と該撮影プログラムに基づいて該照明手段の作動を制御するものであることを特徴とする写真撮影システム。
【請求項２】
前記制御手段は、前記撮影スタジオ内に前記被写体である人物が入る前に、前記照明手段が所定のウォーミングアップを行うように制御するものであることを特徴とする請求項１に記載の写真撮影システム。
【請求項３】
前記制御手段は、前記照明手段に行うウォーミングアップの開始時刻を、前記撮影プログラムに指定された被写体の移動時刻から算出して、前記制御を行うことを特徴とする請求項２に記載の写真撮影システム。
【請求項４】
前記制御手段は、
前記被写体である人物が、複数の前記撮影スタジオを移動して撮影を行うときに、
各撮影スタジオに設けられた照明手段で行われる前記ウォーミングアップの開始時刻を、前記撮影プログラムに指定された該被写体の移動時刻から算出して、制御することを特徴とする請求項２または３に記載の写真撮影システム。
【請求項５】
前記写真撮影システムは、前記撮影スタジオ内で被写体を検知する検知手段を有し、
前記制御手段は、
該検知手段からの検知情報を加味して、前記照明手段の作動を制御することを特徴とする請求項１乃至４のいずれか１項に記載の写真撮影システム。
【請求項６】
前記制御手段は、
前記検知手段が前記被写体である人物を検知した後に、
前記撮影スタジオ内に設けられた前記照明手段の輝度または前記撮影スタジオ内の明度を下げるように制御するものであることを特徴とする請求項５に記載の写真撮影システム。
【請求項７】
前記制御手段は、
前記検知手段が前記被写体である人物の検知を行えなかったとき、または、前記被写体である人物が前記撮影スタジオから退出したときに、
所定時間経過後に該撮影スタジオの室内照明を消灯するように制御するものであることを特徴とする請求項５または６に記載の写真撮影システム。
【請求項８】
前記制御手段は、前記撮影プログラムの内容を変更して前記撮影スタジオでの写真撮影を行うように制御することを特徴とする請求項１乃至７のいずれか１項に記載の写真撮影システム。
【請求項９】
前記制御手段は、前記撮影プログラムと前記顧客情報とを関連付けて前記記憶手段に記憶させるように制御することを特徴とする請求項１乃至８のいずれか１項に記載の写真撮影システム。
【請求項１０】
前記制御手段は、
前記撮影手段からの撮影情報に基づいて、写真撮影の実施を制御することを特徴とする請求項１乃至９のいずれか１項に記載の写真撮影システム。
【請求項１１】
カメラマンにより被写体である人物の写真撮影を行うものであり、
請求項１乃至１０のいずれか１項に記載の写真撮影システムを有することを特徴とする写真撮影スタジオ。
【請求項１２】
請求項１乃至１０のいずれか１項に記載の写真撮影システムにより作成されることを特徴とする人物写真。
【発明の詳細な説明】
【技術分野】
【０００１】
本発明は、ポートレートなどの人物写真を撮影する写真撮影システム等に関する。
【背景技術】
【０００２】
写真スタジオや写真館でのプロのカメラマンによる写真撮影は、生き生きとした表情をとらえた美しい仕上がりのポートレート写真が得られることから、ユーザの間で根強い人気をもつ写真ビジネスの１つである。そして、最近ではＩＴ技術を活用して写真スタジオでの撮影を効率よく行って作業性の向上を図ろうとする動向が見られる。例えば、顧客が写真撮影の予約をしてきた時にサーバに顧客名等の情報を登録して顧客データベースを構築し、顧客ＩＤの発行、付与により、撮影画像のプリント作成や課金をスムーズに行って業務効率の向上を実現させる写真撮影受付方法がある（例えば、特許文献１参照）。
【０００３】
一方、撮影時のストロボ発光をはじめとするライティング条件は、高品質の写真画像を得る上でとても重要な要素となるもので、被写体に対して最適なライティング条件を設定して撮影を行う技術がこれまでも種々検討されてきた。例えば、被写体と照明手段との位置関係に着目して、写真スタジオの空間を３次元座標で規定し、被写体やライトの位置をその３次元座標に基づいて設定する技術がある（例えば、特許文献２参照）。また、撮影時の照明条件を撮影した画像データとともに記憶装置に記録しておき、新たな撮影を行う時に記録しておいた照明条件を活用することにより、撮影時の照明条件設定を容易に行えるようにしたものがある（例えば、特許文献３参照）。
【０００４】
ところで、写真撮影スタジオでの撮影が円滑に行えることは、作業効率の向上に加えて、カメラマンや被写体であるユーザに快適な写真撮影サービスを提供するものであるが、個々の撮影シーンに応じた照明環境をスムーズに提供することは意外と難しいものであった。スタジオでの写真撮影では、被写体の衣装や髪型を変えたりポーズを変えるなどして何種類かのシーンを撮影することが多く、シーンを変えるたびに照明条件も変わることが多いのでその都度照明条件を調整して撮影を行うことが多かった。
【０００５】
特に、七五三や卒業シーズンのように、シーンを変えて納得のいく仕上がりの写真を求める顧客が増大する時期もあり、この様な時に、時間のロスなくシーンを変えての撮影をスムーズに行えることは、顧客にも写真館にも大きなメリットをもたらすものと期待されている。
【特許文献１】特開２００３−３７７９８号公報（段落００２７、図２等参照）
【特許文献２】特開２００１−３５０１８２号公報（段落０００８等参照）
【特許文献３】特開平１１−２４１３８号公報（段落０００８等参照）
【発明の開示】
【発明が解決しようとする課題】
【０００６】
本発明は、照明装置をはじめとするスタジオ内の機器を人手を使わずに撮影開始までに立ち上げを完了させてスムーズな写真撮影が行える写真撮影システムを提供することを第１の目的とする。すなわち、本発明ではスタジオ内の照明、空調、通信機器の立ち上げを撮影に支障を来さぬようスムーズに行えるようにして、顧客には快適な撮影機会を提供し、スタジオ経営者には効率的な運営による収益性の高い写真スタジオを提供する。
【０００７】
また、本発明は、複数のスタジオを回って複数シーンを撮影する場合でも各スタジオで良好な照明条件や撮影環境をタイムリーに得て、顧客を待たさずに一連の撮影をスムーズに行える快適な写真撮影システムを提供することを第２の目的とする。
【０００８】
さらに、本発明は、七五三や卒業シーズンのような写真館にとって繁忙な時期でも時間のロスを発生させずにスムーズな撮影が行え、顧客にハイレベルの撮影体験を提供する写真撮影システムを提供することを第３の目的とする。
【課題を解決するための手段】
【０００９】
本発明は、下記に記載のいずれか１項の構成により達成される。
【００１０】
（請求項１）
顧客情報を入力する入力手段と、
撮影スタジオでの撮影手順を設定した撮影プログラムと、
該入力手段より入力された顧客情報と該撮影プログラムとを記憶する記憶手段と、
カメラマンにより被写体である人物を撮影する撮影手段と、
該撮影手段により撮影を行う際に該被写体に照明を行う照明手段と、
該撮影スタジオでの撮影を制御する制御手段と、を有し、
該制御手段は、
該記憶手段に記憶される顧客情報と該撮影プログラムに基づいて該照明手段の作動を制御するものであることを特徴とする写真撮影システム。
【００１１】
（請求項２）
前記制御手段は、前記撮影スタジオ内に前記被写体である人物が入る前に、前記照明手段が所定のウォーミングアップを行うように制御するものであることを特徴とする請求項１に記載の写真撮影システム。
【００１２】
（請求項３）
前記制御手段は、前記照明手段に行うウォーミングアップの開始時刻を、前記撮影プログラムに指定された被写体の移動時刻から算出して、前記制御を行うことを特徴とする請求項２に記載の写真撮影システム。
【００１３】
（請求項４）
前記制御手段は、
前記被写体である人物が、複数の前記撮影スタジオを移動して撮影を行うときに、
各撮影スタジオに設けられた照明手段で行われる前記ウォーミングアップの開始時刻を、前記撮影プログラムに指定された該被写体の移動時刻から算出して、制御することを特徴とする請求項２または３に記載の写真撮影システム。
【００１４】
（請求項５）
前記写真撮影システムは、前記撮影スタジオ内で被写体を検知する検知手段を有し、
前記制御手段は、
該検知手段からの検知情報を加味して、前記照明手段の作動を制御することを特徴とする請求項１乃至４のいずれか１項に記載の写真撮影システム。
【００１５】
（請求項６）
前記制御手段は、
前記検知手段が前記被写体である人物を検知した後に、
前記撮影スタジオ内に設けられた前記照明手段の輝度または前記撮影スタジオ内の明度を下げるように制御するものであることを特徴とする請求項５に記載の写真撮影システム。
【００１６】
（請求項７）
前記制御手段は、
前記検知手段が前記被写体である人物の検知を行えなかったとき、または、前記被写体である人物が前記撮影スタジオから退出したときに、
所定時間経過後に該撮影スタジオの室内照明を消灯するように制御するものであることを特徴とする請求項５または６に記載の写真撮影システム。
【００１７】
（請求項８）
前記制御手段は、前記撮影プログラムの内容を変更して前記撮影スタジオでの写真撮影を行うように制御することを特徴とする請求項１乃至７のいずれか１項に記載の写真撮影システム。
【００１８】
（請求項９）
前記制御手段は、前記撮影プログラムと前記顧客情報とを関連付けて前記記憶手段に記憶させるように制御することを特徴とする請求項１乃至８のいずれか１項に記載の写真撮影システム。
【００１９】
（請求項１０）
前記制御手段は、
前記撮影手段からの撮影情報に基づいて、写真撮影の実施を制御することを特徴とする請求項１乃至９のいずれか１項に記載の写真撮影システム。
【００２０】
（請求項１１）
カメラマンにより被写体である人物の写真撮影を行うものであり、
請求項１乃至１０のいずれか１項に記載の写真撮影システムを有することを特徴とする写真撮影スタジオ。
【００２１】
（請求項１２）
請求項１乃至１０のいずれか１項に記載の写真撮影システムにより作成されることを特徴とする人物写真。
【発明の効果】
【００２２】
本発明では、ポートレートなどの人物写真撮影用の撮影スタジオで顧客から受けた予約情報を顧客来所時に活用するとともに、撮影スタジオ内で行われる撮影手順をプログラム化しておきスタジオでの撮影をこのプログラムに基づいて行えるようにした。その結果、撮影スタジオ内に設けられた照明装置を撮影開始までに人手をかけずに立ち上げておけるようにすることが可能になり、かつ、撮影時には各シーンに合った照明条件を人手をかけずに設定できるので、スタジオでの撮影作業がスムーズに行えるようにした。
【００２３】
本発明によれば、スタジオ内の照明、空調、通信機器の立ち上げが撮影に支障を来さぬ時点でスムーズに行えるようになり、顧客に快適な撮影機会を提供するとともに、スタジオ経営者に効率のよいスタジオ運営を提供して収益性を向上させるようにした。
【００２４】
特に、七五三や卒業シーズンのような写真館にとって繁忙な時期に、スタジオの準備作業や撮影作業に手間をかけず、また、時間のロスを発生させることなく、顧客を待たさずにスムーズな撮影が行えるようになった。
【００２５】
特に、請求項３に記載の発明では、制御手段が照明手段のウォーミングアップ開始時刻を撮影プログラムに指定された被写体の移動時刻から算出して設定しているので、顧客が撮影スタジオに入室したときにはすぐに撮影が行える状態になっている。したがって、顧客がスタジオ入室後、すぐに撮影が行えるので効率のよいスタジオ運営が可能になった。また、顧客の状況に応じて照明装置の制御、管理ができるので電力消費等の制御も行え、環境に配慮された写真撮影スタジオを提供することが可能になった。
【００２６】
また、請求項４に記載の発明では、顧客が複数のスタジオを利用し、各スタジオでメイクや衣装を替えて撮影を行う場合でも、顧客のスタジオ間移動やメイク、衣装替えに要する時間を加味して照明装置のウォーミングアップを行うようにした。その結果、顧客が複数のスタジオを回って撮影を行う場合でも、各スタジオに入室したときに快適な撮影環境が提供され、各スタジオに設けられた機器も顧客の状況に応じて効率よく作動させることができる。したがって、各撮影スタジオでは無駄なエネルギー消費のない環境にやさしい写真撮影システムを提供することを可能にした。
【００２７】
また、請求項５乃至７に記載の発明では、撮影プログラムの情報に検知手段からの情報を加味することができるようになったので、より細やかな撮影管理やスタジオ運営を実現することが可能になった。具体的には、検知手段からの情報によりスタジオ内での顧客の行動に対応してスタジオ内の輝度や明度を変えることができるようになり、スタジオ内で顧客に安堵感やくつろいだ雰囲気での撮影環境を提供できるようにした。また、顧客がスタジオから退出する等の理由で不在になってこともいち早く検出することができるので、退出後にすぐに照明や空調を消して無駄な電力消費のない撮影スタジオを提供することを可能にした。
【００２８】
さらに、請求項８または９に記載の発明は、制御手段により撮影プログラムを変更したり、また、変更した撮影プログラムを該当する顧客情報とともに保存するものである。これにより、顧客がスタジオで撮影中に急なスケジュール変更で撮影を急遽中止しなくてはならない場合でもシステムに支障をきたさずに機器を停止し、また、スタジオを円滑に運用できるようにした。また、売れっ子のタレント用に調整した撮影プログラムを顧客に提供することも可能であり、オリジナル性のある撮影プログラムを用意することでスタジオに付加価値がつけられ、あこがれのタレントと同じ写真を求めるユーザのニーズにも応えられる写真撮影スタジオを提供することを可能にした。
【発明を実施するための最良の形態】
【００２９】
本発明は、ポートレートをはじめとする人物写真を撮影する写真撮影システムに関し、顧客情報や撮影プログラムを活用してスタジオ内の撮影環境を自動的に制御して効率のよい写真撮影を行えるようにした写真撮影システムに関する。
【００３０】
以下、本発明について詳細に説明する。
【００３１】
最初に、本発明に係る写真撮影システムが利用可能な写真撮影スタジオでの撮影について説明する。写真撮影スタジオでは、被写体に対して撮影意図に応じた最適なライティング状態を設定した後、撮影手段であるカメラに同期してストロボライトを閃光させて撮影を行う。図１は、本発明の技術思想を適用することが可能な写真撮影スタジオでの撮影状態を示すイメージ図である。
【００３２】
写真撮影スタジオ１には、図１に示す様に被写体Ｈの周囲に照明手段である各種ライト１１（１１ａ〜１１ｅ）が配置されている。写真撮影に使用される具体的なライトとしては、フロントライト、メインライト、バックグラウンドライト、アクセントライト、トップライト、スカイライト等の照明装置が挙げられる。これらのライトは、室内照明のものや、ストロボ照明、及び、撮影時の補助照明として使用されるものである。また、図１の写真撮影スタジオ１は後方に背景となるロールスクリーン１２を有するもので、ロールスクリーン１２は状況に応じて上下方向に垂下する。
【００３３】
図１の写真撮影スタジオ１における撮影は、ロールスクリーン１２を背景にしてこれらのライトの位置や各々の出力（調光）を変えて被写体Ｈを撮影する。各種ライト１１は撮影意図に応じて適切なものを選択して撮影に使用することが一般的である。また、これらのライトにストロボ発光用のランプを設け、ストロボライトとしての使用も可能である。
【００３４】
写真撮影スタジオ１では、被写体Ｈに対して最適なライティング状態を形成してから、カメラマン等の撮影者がカメラを操作して撮影を行うもので、図示しないカメラのシャッタが作動すると、これに同期してストロボライトが閃光し、被写体Ｈの撮影が行われる。
【００３５】
また、本発明では写真撮影スタジオ１内に設けられたサーバにより、ストロボの充電開始など照明装置のオン／オフ作動が自動的に制御され、被写体Ｈがスタジオ内に入ったときには撮影が行える環境になっているように制御されている。
【００３６】
次に、本発明に係る写真撮影スタジオについて説明する。図２は、本発明に係る写真撮影スタジオ（店舗）の一例を示す平面図で、写真撮影スタジオ１は、ユーザ（以下、顧客あるいは被写体ともいう）の様々なニーズに対応できるように設計されたものである。
【００３７】
写真撮影スタジオ１には、複数の撮影スタジオ１０ａ〜１０ｄ、来所した顧客に受付や撮影終了後の料金支払等の手続、顧客から撮影予約を受けた時に顧客情報の入力作業を行う受付スペース１５、顧客と撮影の打合せを行うためのミーティングスペース１４が配置される。また、受付スペース１５に隣接して撮影スタジオ１０内に設置されている撮影装置や照明装置、あるいは空調設備の作動を制御する制御装置２３や顧客情報の管理を行うデータベース３０を収納する制御スペース１６が配置される。また、顧客が撮影を行うにあたってのしたくや撮影後のメイク落とし、着替えを行うためのスペースとして、ロッカールーム（更衣室）、メイクスペース、さらには、洗顔スペースを配置する。
【００３８】
図２の写真撮影スタジオ１は、Ａスタジオ１０ａ、Ｂスタジオ１０ｂ、Ｃスタジオ１０ｃ、Ｄスタジオ１０ｄと複数のスタジオを有し、各スタジオ内にはそれぞれ趣の異なる配色や照明、調度品が配置されている。この様に複数のスタジオを設け各々趣の異なる撮影環境とすることにより、ユーザに撮影を行う環境を選択できるようにするとともに多くの撮影シーンを提供できるようにしている。また、図中、Ａスタジオ１０ａからＢスタジオ１０ｂ、及びＢスタジオ１０ｂからＣスタジオ１０ｃ間に矢印で示すように、ユーザが複数の撮影スタジオを回り、各々のスタジオ内で撮影を行うことも可能である。このように複数のスタジオを使った撮影は異なった撮影環境での写真撮影をユーザに提供できる。
【００３９】
写真撮影スタジオ１の外周は、店内が外からよく見えるようにガラス張りにしたり大きな窓を設けることも可能である。また、撮影スタジオ１０ａ〜１０ｄにも大きめの窓を設けると店外を通る人が撮影の様子を見ることができるので、好奇心をそそり新たな顧客を獲得することが期待できる。また、撮影時に外光を取り込むことができるので、照明光と自然光との混合光の状態で撮影を行うことが可能である。
【００４０】
また、写真撮影スタジオ１では、顧客の持ち込んだ衣装や小物、靴や帽子などに、例えば、受付スペース１５で無線タグを取り付けて預かることにより、顧客の貴重品を安全に管理することも可能である。この場合、受付スペース１５の一部を貴重品預かりスペースとして店舗を管理する責任者が常駐する場所の近くで管理することが可能である。
【００４１】
使用可能な無線タグは、ＲＦＩＤタグとも呼ばれるもので、情報を入力し記憶する機能と無線通信機能を有するものであり、形状はカード型やラベル型など、顧客より預かったものを傷つけるおそれがなくコンパクトで取扱いが容易なものが挙げられる。
【００４２】
また、店内の床は、バリアフリーの視点から段差のない平らなものがよく、例えば、高齢者や年少者、あるいは車いすを使用する顧客に対して安全性を提供する。
【００４３】
次に、本発明に係る写真撮影システムについて説明する。図３は本発明に係る写真撮影システムの一例を示すブロック図であり、制御手段である図中のサーバ２３により撮影手順が設定された撮影プログラムに基づいて、撮影スタジオ１０の撮影環境や設置機器の作動が制御、管理されることを示す。
【００４４】
本発明では、顧客から写真撮影の予約を受けた時に得られる情報を活用することにより、写真撮影スタジオ内に配設されている撮影装置や照明装置、さらには空調機器などを人手を使わずに撮影開始時までに立ち上げ完了させ、写真撮影がスムーズに、かつ、快適に行えるようにしている。ここで、写真撮影の予約を受けた時に得られる情報とは、具体的には、電話あるいはインターネットなどにより顧客からの撮影予約を受けた時、氏名、住所、電話番号、血液型やメールのアドレス等の個人情報や、撮影の希望日時、使用希望の撮影スタジオの他に、撮影当日に行うメイクアップ内容や衣装の色、撮影されたい表情やポーズなどが挙げられる。すなわち、図３に示す受付スペース１５に設けられたカードリーダ３２や情報入力装置３１などの入力手段を介して前述した顧客情報が入力され、サーバ２３によりこれらの顧客情報が活用されることになる。
【００４５】
図３の写真撮影システム２では、撮影スタジオ１０内に被写体Ｈを撮影する撮影手段であるカメラ２１、カメラ２１による撮影時に発光させるストロボライト２５（２５ａ〜２５ｃ）（例えば、図１のライト１１と同じ個所に配置することもある。）、被写体Ｈである顧客やカメラマンが撮影スタジオ内で行動し易くするための室内照明２６、ストロボ光により生ずる影の影響を消去する補助照明２９が設けられている。
【００４６】
図３の写真撮影システム２では、撮影スタジオ１０内にストロボ発光用の照明装置としてのメインライト２５ａとトップライト２５ｂ、バックグラウンドライト２５ｃと、室内照明用の照明装置２６、補助照明２９が配置されている。ストロボライト２５はストロボ電源２７より電力供給を受けて写真撮影時に発光する。電源２８はストロボ発光用の照明装置以外の撮影スタジオ１０内で電力消費するものに電力供給するもので、室内照明用の照明装置２６や補助照明２９、空調機器３３は電源２８より電力供給を受ける。
【００４７】
サーバ２３は、コンピュータに代表される情報制御機能を有するもので、顧客情報や撮影した画像情報をデータベース３０への記録や読み出しを制御したり、撮影プログラムに基づいてデータベースに記録した情報を演算処理して写真撮影スタジオでの撮影が円滑に行えるように制御するものである。サーバ２３は、撮影スタジオ１０に設けられた各種機器の作動を制御することにより撮影スタジオ１０での円滑な撮影を実現させているが、サーバ２３で行われるこれらの撮影に関連する制御は、本発明における記憶手段に該当するデータベース３０に記録されている撮影プログラムに基づいて行われる。すなわち、サーバ２３はデータベース３０に登録されている撮影プログラムを読み出し、前述の顧客情報を活用して撮影スタジオ１０での撮影を制御する。そして、本発明では後述するように、顧客がスタジオに入室したときにすぐに撮影が行えるような撮影環境を提供することを可能にしている。
【００４８】
また、本発明では、図２に示すような複数の撮影スタジオを使っての撮影にも対応することが可能である。すなわち、図３に示すようにサーバ２３は各撮影スタジオ１０ａ、ｂ、ｃに配置される各種機器を制御する。複数の撮影スタジオの制御は、大型コンピュータからなる１台のサーバ２３で対応する方法の他に、図３に示すように各撮影スタジオに１台ずつ小型のサーバ２３’を設け、これらのサーバ間で相互に情報のやりとりを行って各撮影スタジオの制御を行う方法がとられる。
【００４９】
本発明に係る写真撮影システム２では、顧客が来所すると受付スペース１５に設けられているカードリーダ３２や情報入力手段３１（キーボードやバーコードリーダなど）を介して顧客が来所したことをサーバ２３に伝達する。例えば、予め顧客Ｈに発行し送付しておいたＩＤカードを来所時に持参してもらい、来所時にＩＤカードをカードリーダ３２に挿入することにより顧客Ｈの来所を認証する方法が挙げられる。あるいは、ＩＤカードに認証用のバーコードを付与しておき、来所時にバーコードリーダでこれを読み込んで来所の認証を行う方法などが挙げられる。
【００５０】
同様に、顧客Ｈが撮影を終えて撮影スタジオから退出したことを認証することも可能である。具体的には、来所時に挿入しておいたＩＤカードをカードリーダ３２から抜き取ったときにこれを検出して顧客Ｈの退出を認証する方法が挙げられる。また、来所時にＩＤカードを介して入力した後、ＩＤカードをいったん顧客Ｈに返却し、撮影終了時に再度ＩＤカードをカードリーダ３２に挿入して顧客Ｈが撮影スタジオから退出したことを認証する方法もある。また、非接触方式のＩＤカードを利用することも可能である。
【００５１】
また、撮影スタジオ１０での撮影は前述したように、撮影プログラムに基づいて行われるように制御されているが、この撮影プログラムに基づく各種機器の作動を補足するために撮影スタジオ１０内には検知センサ２４が設けられている。例えば、撮影スタジオ１０でカメラマンによる撮影が行われるとき、被写体である顧客を検知する検知センサ２４により被写体Ｈの存在を検知する検知情報が情報信号としてサーバ２３に送信され、この信号も利用することにより円滑な撮影を実現する。
【００５２】
検知センサ２４は、被写体Ｈの存在を検知するものであり、例えば、瞳のように被写体から発せられる特定波長光を検知するものや、被写体の体温を検知するものなどが挙げられる。また、検知センサ２４は、被写体Ｈの存在を検知する他に、空調機器３３によるスタジオ内の温湿度環境を検知し、その検知情報をスタジオ内の環境情報としてサーバ２３に送信する機能を併用するものでもよい。
【００５３】
検知センサ２４により検知された被写体Ｈに関する検知情報はサーバ２３に送られ、サーバ２３は撮影プログラムとこの検知情報とを組み合わせ、その時その時の撮影に対応したストロボの発光量を決定するなど、撮影スタジオ１０内の照明条件を制御する。
【００５４】
このように、サーバ２３はストロボライト２５やカメラ２１，あるいは検知センサ２４などの写真撮影システム２を構成する各種機器の作動を制御するもので、前述したように具体的にはコンピュータの形態を有するものである。サーバ２３は、システムを構成する各装置が円滑に作動する様に実際に制御を行う処理部（ＣＰＵ）２３１と、各種の情報を記憶しておく記憶部（主記憶部、補助記憶部）２３２、情報の入力を行う入力部、処理結果等を表示する表示部（モニタ）３４を有する。なお、このモニタ３４を撮影スタジオ１０内に設けることにより、撮影した画像データをモニタ３４に表示して、ユーザＨやカメラマンに撮影した画像の仕上がりを確認させることも可能である。
【００５５】
また、図３の写真撮影スタジオ１の撮影環境をより精度よく制御する方法としては、例えば、前述した撮影プログラムにカメラ２１からのシャッタ信号や検知センサ２４で検知された検知情報を加味してサーバ２３のＣＰＵ２３１で演算処理を行い、図４に示すような各段階でスタジオ内で要求される輝度や明度などの物理量を算出する。そして、算出された物理量と撮影プログラム内に設定されているこれらの物理量の情報とを照合、演算処理して各段階に応じた適正な輝度や明度を実現するように各種照明手段を制御する。例えば、制御装置２３の処理部２３１では、撮影環境における測定値である測定信号と、メインメモリ等の記憶部２３２に予め記憶しておいた撮影条件に関する記録情報とを照合、演算を行って、その時その時の撮影状況に対応した最適なストロボ発光量を算出し、算出した露光量となる様にストロボライト２５の発光量を制御する。
【００５６】
ここで、記憶部２３２に予め記録されている情報としては、例えば、撮影直前のスタジオ内の明るさに対応するストロボ発光量に関する情報や、カメラ２１で設定されている絞り値やシャッタ速度に対応するストロボ発光量に関する情報、電子カメラにおける受光素子（ＣＣＤ）性能や銀塩写真カメラにおけるフィルムの感度に対応させたストロボ発光量に関する情報といった種々の撮影条件に対応したストロボ発光に関する情報が予め記録されている。これらは前述した撮影プログラムに該当するものであり、サーバ２３中の記憶部２３２はデータベース３０と同様に記憶手段として機能している。
【００５７】
そして、制御装置２３は、ストロボライト２５がこの様にして決定した適正露光量で発光する様にストロボ電源２７に供給する電力を制御する。この時、制御装置２３からストロボ電源２７に電力制御信号が送信され、ストロボライト２５が最適なストロボ発光を行われる様に制御される。
【００５８】
このように、写真撮影システム２では、予め設定されている撮影プログラムに検知センサ２４などの検知手段で得られた撮影スタジオ１０内の撮影環境情報を加味して、検知情報を制御装置２３にフィードバックしてストロボライト２５の発光量を当該撮影環境で過不足のない露光量での撮影を行うように制御する。したがって、本発明に係る写真撮影システム２によれば撮影状況に応じた適正な露光量となるストロボ発光が行われるので、ストロボライト２５が露光量オーバーしたり、露光量不足を起こして撮影不良を発生することを回避するとともに、適正な露光量での撮影がいつでも行える。
【００５９】
すなわち、本発明では、サーバ２３が検知手段２４で被写体Ｈを検知した後、撮影スタジオ１０内に設けられたストロボライト２５をはじめとする各種照明手段の輝度や撮影スタジオ内の明度を変えるように制御することも可能である。
【００６０】
次に、前述の撮影システム２で行われる照明環境の制御の具体例を説明する。図４は図２のＡスタジオ１０ａで行われる写真撮影に伴う一連の動作に対応する照明条件の変動を示す模式図である。図中、横軸は撮影動作に伴う各動作の実施時であり、縦軸に各動作時に必要とする照明条件を輝度であらわしたものである。また、図の横軸に示す各項目は、本発明における撮影スタジオでの撮影手順に該当するものであり、本発明では撮影プログラムとしてデータベース３０に予め登録されているものである。
【００６１】
図のように、Ａスタジオ１０ａでは、室内照明用（実線で輝度変化を示す）、撮影用補助照明用（一点鎖線で示す）、ストロボ用（破線で示す）の３つの光源が使用される。
【００６２】
室内照明用光源は、例えば、蛍光灯などが用いられ、ユーザがスタジオ内に安全に入室できるように入室前の時点で点灯させ、スタジオ内での撮影位置の決定を円滑に行えるように初期段階ではある程度高輝度の照明が行えるように制御される。また、撮影後にモニタで撮影画像をチェックしたり、撮影終了後ユーザが安全にスタジオから退室できるように撮影後も高輝度で照明するように制御される。さらに、撮影時もカメラマンが円滑に作業が行え、ストロボ光などの撮影用の光源に影響を与えない程度の輝度で照明するように制御することが好ましい。
【００６３】
撮影用補助照明光源は、例えば、白熱電球などが用いられ、撮影時のストロボ発光により生ずるかげを消去するように輝度が制御されている。撮影用補助照明光源は、撮影時にかげを消去させる光量を有していることが要求され、ストロボ発光までの間に所定輝度になるように制御される。ただし、白熱電球を補助照明光源に使用した場合、輝度が安定するまでに時間を要するので図のように早期の点灯が好ましい。
【００６４】
ストロボ用の光源は、例えば、タングステンランプやキセノンランプなど、撮影時に非常に高い光量を有する発光が行えるように制御されている。図はレリーズによるストロボ発光を行うものである。発光時の光量が常に一定レベルとなる安定したストロボ発光を行うためには、色温度や光源の材質などのデータに基づいて充電時間を設定する必要がある。本発明ではこれらの情報を予めデータベース３０に記憶させておき、使用するストロボ種類に応じて充電時間を制御することが可能である。
【００６５】
図４に示すように、Ａスタジオ１０ａでは、サーバを起動させ、ウォーミングアップの必要な撮影用照明やストロボの充電、室内照明の調整などをユーザが入室する前に行うことにより、ユーザにスムーズかつ快適な撮影環境を提供することができる。すなわち、ユーザがＡスタジオ１０ａに入室したときに快適な照明環境が形成され、ユーザは撮影時の表情やポーズを決めるポージングを行うのに十分な光量が提供される。また、撮影後も室内照明を快適な明るさにするので、ユーザが撮影された画像をモニタ３４でチェックする場合でもチェックし易い十分な明度を有する照明環境が提供される。
【００６６】
図５は、ユーザが複数の撮影スタジオで撮影を行うときに行われる照明環境の制御を示す例である。図５は図２に矢印で示されるＡ、Ｂ、Ｃの各スタジオで撮影を順次行うときの時間軸に対する各スタジオでの輝度変動を示す模式図である。図５では、各スタジオで使用される光源を照明用光源、撮影用補助光源、ストロボ用光源と共通にし、各スタジオで行われる光源への各種制御を行うタイミングを同じにしてある。
【００６７】
図５では、Ｂスタジオ用の制御部（サーバ）をＡスタジオで撮影を行っているときに起動させ、Ｃスタジオの制御部（サーバ）をＢスタジオで撮影を行っているときに起動させるように制御することが示されている。このように、本発明ではユーザが複数の撮影スタジオを回って撮影を行う場合でも、ユーザがスタジオを使用する前に制御部を起動させ、ユーザが次のスタジオに入室するときには撮影環境がすっかり整えられて、すぐに撮影が行える状態になっている。また、ユーザが次のスタジオでメイクや衣装を変えて撮影を希望する場合も、これらに要する時間を考慮して次のスタジオを起動させるようにすることができるので、無駄な電力消費を避けることができる。
【００６８】
その結果、複数のスタジオを回って使用する場合でも、ユーザを待たさずにスピーディで快適な撮影を提供することができ、また、メイクや衣装の変更を伴う場合でも照明や空調を適時起動させることができる。
【００６９】
このように、ユーザが複数のスタジオを使用して撮影を行う場合でも、快適な撮影環境を提供して顧客に大きな満足度を付与するとともに、撮影効率やエネルギー消費効率の向上とトータルの撮影時間の短縮化を実現して、写真撮影スタジオの収益性を向上させる。
【００７０】
本発明に係る写真撮影システムによる写真撮影の流れをフローチャートを用いて説明する。図６は写真撮影スタジオ１で行われる写真撮影の予約受付から撮影完了までの流れを示すフローチャートである。なお、このフローチャートは、本発明における撮影手順を設定した撮影プログラムに該当するものであり、データベース３０に予め記録され、撮影時にサーバ２３が読み出して操作するものである。
【００７１】
最初に、受付１５は顧客Ｈからの撮影の予約を受けると、予約受付装置（パソコン）３１を介して、顧客氏名、顧客ＩＤ番号、撮影実施予定日といった情報を入力（ステップＳ１）する。入力された予約情報は、サーバ２３を介してデータベース３０に登録される（ステップＳ２）。なお、顧客ＩＤ番号は写真撮影スタジオで顧客を識別するためのものであり、最初に写真撮影スタジオでの撮影の申込みを行った時に付与する。顧客へのＩＤ番号の連絡方法としては、例えば、ＩＣチップを内蔵したＩＤカードを作成、配布する等の方法により行う。なお、初めての顧客に対しては、顧客ＩＤ番号を入力した前述のＩＤカードを作成し、これを来店前の段階で顧客Ｈの手にわたるように送付しておく。
【００７２】
次に、撮影当日に顧客Ｈが写真撮影スタジオ１に来所すると、受付１５は顧客Ｈが来所したことをサーバ２３に入力し、（ステップＳ３）、サーバ２３は入力された情報をデータベースに記録されている予約情報と照合する（ステップＳ４）。来所情報の入力方法、及び入力された情報の照合方法は、例えば、前述のＩＤカードを顧客Ｈに持参させ、ＩＤカードをカードリーダで読み取り、読み取られたＩＤ番号などの個人情報をサーバ２３に記録されている予約情報と照合する方法や、顧客Ｈの氏名をパソコンのキーボードやバーコードリーダなどの情報入力手段３１を介して入力し、入力された氏名をサーバ２３に記録されている予約情報と照合する方法などが挙げられる。
【００７３】
来所時に入力した情報と予約時の情報とが一致した場合（ステップＳ５；Ｙｅｓ）は、顧客Ｈが使用する撮影スタジオ１０を選択し（ステップＳ６）、サーバ２３は該当撮影スタジオ１０内への電源供給を開始（ステップＳ７）するとともに、データベース３０に記録されている該当撮影スタジオ１０で行う撮影手順プログラムを起動させる（ステップＳ８）。電源供給開始により該当撮影スタジオ１０内の室内照明２６が点灯させて顧客Ｈは明室状態の撮影スタジオ１０に入室し（ステップＳ１０）、撮影可能な状態になる。
【００７４】
本発明では、例えば、店舗前を通った人がたまたま中をのぞいて級に写真撮影を希望し、予約なしで写真撮影を申し込むケースでも顧客のニーズに応えられるものである。この場合、予約情報がデータベース３０内に存在していない状態にあるので、来所情報を入力（ステップＳ３）後の照合（ステップＳ４）結果は、一致しない結果になる（ステップＳ５；Ｎｏ）。照合結果が一致しないと判定された場合には、前述の来所情報をデータベース３０に自動登録し（ステップ９）、自動登録後に前述した撮影スタジオ１０を選択する（ステップＳ６）。
【００７５】
撮影スタジオ１０内では、撮影者は最初の撮影を行う個所に顧客Ｈを案内、あるいはそこに行くように指示する。所定位置に顧客（被写体）Ｈが来ると検知センサ２４が顧客（被写体）Ｈの瞳孔を検知し、検知情報をサーバ２３に送信する（ステップＳ１１）。サーバ２３は、瞳孔検知情報に基づいて該当撮影スタジオ１０での撮影が開始されることを認識し、起動させた撮影プログラムに基づいて１回目の撮影で使用される発光ストロボ２５が発光するようにストロボ電源２７を制御する（ステップＳ１２）。撮影のためカメラ２１のシャッタが作動する（ステップＳ１３）と、シャッタ作動情報がサーバ２３に送信される。サーバ２３は、１回目の撮影が終了したことを認識すると、起動させているプログラムを確認し（ステップＳ１４）、次にどの様な撮影を行うかを判断する（ステップＳ１５）。サーバ２３が、プログラムに基づいて撮影が終了したと判断した（ステップＳ１５；Ｙｅｓ）場合は、撮影スタジオ１０での撮影を終了する。なお、本発明に係る写真撮影システムでは、撮影スタジオ１０での撮影終了後に被写体Ｈが撮影スタジオ１０から退出したことを検出することも可能である。具体的な検出方法としては、例えば、前述した、カードリーダ３２にセットされてある顧客ＨのＩＤカードの着脱（挿抜）を検出することにより行うなどの方法で検出することができる。また、ＩＤカードとしては、接触方式のものの他に非接触方式のＩＤカードも利用することが可能である。
【００７６】
一方、撮影を引き続き行うと判断した場合（ステップＳ１５；Ｎｏ）、サーバ２３は前述のステップＳ１１からＳ１４までの操作を繰り返し行うように制御する。すなわち、サーバ２３は次の撮影個所からの被写体Ｈの瞳孔情報を受けて（ステップＳ１１）、次シーンで使用する発光ストロボ２５を選択し、ストロボ電源２７を制御（ステップＳ１２）し、シャッタ２１の作動と同時にストロボ２５を発光させる（ステップＳ１３）。
【００７７】
さらに、本発明に係る写真撮影システムを用いた写真撮影スタジオの作業フローを顧客への対応を加味して説明する。図７は写真撮影スタジオでの業務フローチャートと顧客の状態を関連づけた模式図である。この業務フローチャートも本発明における撮影プログラムに該当するものであり、データベース３０に予め撮影プログラムとして登録され、一連の業務はこのプログラムがサーバ２３に読み出されることによって行われる。ユーザが複数のスタジオを使用する場合、スタジオの移動に要する時間等を考慮しなくてはならないが、この撮影プログラムからスタジオ移動などの時間を割り出し、それに応じて各スタジオでの照明などの作動が制御される。
【００７８】
顧客が来店する前の段階では、写真撮影スタジオ１は顧客Ｈから撮影予約の連絡を受けたときに氏名、住所、電話番号やメールアドレスなどの顧客基本情報を顧客ＩＤに対応付けてデータベースに登録する（ステップＳ２１）。同時に撮影日時などの予約情報や、顧客の好みの色や肌の性質など撮影時に行われるメイクや衣装選択をコンサルティングする上で必要になる顧客属性情報を顧客ＩＤに対応付けてデータベースに登録する（ステップＳ２２）。また、初めての顧客に対しては、顧客ＩＤ番号を入力した前述のＩＤカードを作成し、これを顧客が来店する前の段階で顧客の手にわたるように送付しておくとよい。
【００７９】
なお、写真撮影スタジオ１は、これらの情報登録を円滑に行えるようにするとともに、顧客Ｈから多くの情報が得られるようにする手段を用意しておくことが好ましい。例えば、インターネット上にホームページを設け、顧客Ｈがホームページにアクセスした時に、予約や顧客基本情報の入力を行う画面に入れるようにする方法が挙げられる。あるいはダイレクトメールやチラシなど、これらの情報を簡単に記入できるようにした体裁の紙媒体を用意して登録する方法も挙げられる。さらに、顧客から提供された情報のデータベースへの入力はコンピュータによる自動入力が好ましく、顧客は２４時間いつでも予約が行え、スタジオにスタッフが不在の時でも予約登録が自動的に行えるのでとても便利である。
【００８０】
顧客Ｈが写真撮影スタジオ１に来所したとき、スタジオ側では予めデータベースに登録しておいた情報を読み出し、顧客属性情報に基づいておすすめのメイクや衣装の情報を顧客に提供する（ステップＳ２３）。これらのおすすめ情報から撮影時のメイクや衣装についてのコンサルティングを行う。具体的には、顧客属性情報に基づいて作成した顧客に合ったメイクアップのコンサルティング情報や化粧品メーカからの最新情報などを提供し、具体的なメイクアップの方針を決め（ステップＳ２４）、メイクアップを行う。また、顧客が貸衣装を選んで撮影する場合には、同時に衣装のコンサルティングも行い衣装を決める。このとき、コンサルティングした内容や決めた内容を顧客ＩＤに対応付けてデータベースに入力、登録する（ステップＳ２５）。このように、メイクのコンサルティング情報や決めたメイク内容の情報を入力することでこれらの情報を有効に活用することができる。例えば、今回決めたメイクを行うとどの様な顔になるかをイメージ画像として顧客に提示したり、それを紙に出力して自宅でメイクアップするときの参考情報に供することも可能である。あるいは、リピータの顧客には過去に行ったメイクの情報を提供することで撮影準備の時間を短縮することも可能である。
【００８１】
メイクアップと衣装選択などのしたくが完了後、撮影を行うことになる。先ず、撮影前に表情やポーズなどの撮影時の状態や条件を決めるためにコンサルティングを行う。撮影時のコンサルティングは、例えば、顧客から予め受けた注文内容の中に表情やポーズの項目を用意しておき、顧客がこの中から希望するものを選択できるようにしておく。そして、顧客が選択した情報に基づいて顧客が希望する表情やポーズをモニタ表示してコンサルティングを行う（ステップＳ２６）。このようにしてコンサルティングを行い、実際にとる表情やポーズを決めて撮影を行う。なお、コンサルティングに用いた情報や決めた撮影情報を顧客ＩＤに対応付けてデータベースに登録しておく（ステップＳ２７）と、前述の化粧情報と同様に、撮影情報も有効に活用することができるようになる。
【００８２】
撮影スタジオでは、前述したように、サーバにより照明装置や空調などが制御されているので、顧客がスタジオに入室したときにすぐに撮影が行える環境になっている。撮影は、１つのスタジオで行われる場合の他に、前述のように複数のスタジオを使用する場合もある。複数のスタジオを使用する場合、各スタジオのサーバを適時に起動させて、各スタジオ内の照明装置や空調設備の作動を制御することにより、各スタジオで撮影を行う時はいずれも良好な撮影環境で撮影が行えるように制御する。
【００８３】
そして、撮影で得られた撮影画像を顧客ＩＤに対応付けてデータベースに登録（ステップＳ２８）して撮影を完了する。
【００８４】
撮影終了後、顧客Ｈに撮影した画像をモニタ３４を介して提示し、その中からプリント写真作成を希望する満足のいく撮影画像を選択させる（ステップＳ２９）。そして、プリント写真作成用に選択された撮影画像の注文情報を購入履歴情報として顧客ＩＤに対応付けてデータベースに登録する（ステップＳ３０）。このようにプリント写真の注文が行われる。
【００８５】
さらに、写真撮影スタジオ１では、プリント写真作成の注文を受けた撮影画像に対して、トリミングや色補正などの画像処理や画像加工を施すことがあり、このような後処理を行った場合もこれらの画像処理や画像加工に関する情報を顧客ＩＤに対応付けてデータベースに登録する（ステップＳ３１）。そして、注文情報に応じて撮影画像をプリント出力し最終製品であるプリント写真を顧客に提供する。また、顧客が自宅のパソコンを利用して自分で画像出力するニーズに対応するため、ＣＤ−Ｒやコンパクトフラッシュ（登録商標）などに撮影画像を記録し、そのメディアを顧客に提供する（ステップＳ３２）。
【００８６】
図７に示すように、本発明では撮影開始から終了までのプログラムが規定されており、それに従って撮影が行われるようになっている。そして、このプログラムから各プロセスで必要な時間も割り出されるようになっているので、例えば、ユーザが複数のスタジオを使用して撮影を行う場合でも、スタジオ移動などに要する時間も割り出され、そこから各スタジオの照明等の機器の作動を的確に制御することができる。
【００８７】
また、本発明では、前述のように撮影開始から終了までの予め規定されているプログラム内容を制御手段により変更して、撮影スタジオでの円滑な写真撮影を実現することも可能である。すなわち、顧客Ｈがメイクアップに要する時間や希望する貸衣装の使用状況、当日の撮影スタジオの予約状況といった状況を加味し、サーバ２３の情報入力手段３１を介してこれらの情報を入力して、スタジオの使用順や衣装替えの順番などを本来のプログラム内容から変更する。このように、撮影プログラムを状況に応じて変更することにより、状況に応じた撮影を行えるようにするものである。その結果、スタジオの空き時間を減らしてスタジオの利用効率を上げるとともに、照明の輝度の上げ下げや空調のオン・オフ回数を減らすことにより、これらの機器による無駄なエネルギー消費を回避させるとともに機器の寿命を延ばすことも可能になる。さらに、所定の撮影プログラムに若干の手を加えて個々のユーザの好みにマッチした撮影プログラムを準備することも可能である。
【００８８】
とりわけ、売れっ子のモデルやタレントの撮影などでは、所定の撮影プログラムの下で撮影を進行中に急なスケジュール変更があり、撮影を急遽中断、切り上げなくてはならないような事態がおこりがちである。このような場合でも、本発明によれば、急な中断に対して照明や空調等の機器を無駄なく自動的に停止することが可能である。また、中断後に次の顧客をただちに迎えて撮影を行うこともでき、スタジオをより効率よく運用することも可能である。
【００８９】
また、タレント業などの芸能活動では、他のタレントとの違いをきちんとアピールすることが求められ、その写真にもそのタレントの個性が反映されたものが求められる。本発明によれば、基本となる撮影プログラムに細かいニーズを付加して撮影プログラムを変更することができるので、個々のタレントのニーズにあわせた撮影プログラムに基づく写真撮影を行うことにより、タレントの個性を引き出せる写真撮影を行うことも可能である。
【００９０】
さらに、本発明では上述したように撮影プログラムを変更した場合、制御手段により変更された撮影プログラムと顧客情報とを関連付けてデータベース３０に記憶させることが可能である。すなわち、サーバ２３は、前述したように内容を変更した撮影プログラムを作成したときに、この撮影プログラムを依頼した顧客の顧客情報に関連付けてデータベース３０に記録しておく。このように、変更した撮影プログラムを顧客情報に関連づけてデータベース３０に記録することにより、その顧客が再度撮影を行う場合にもこのプログラムを活用することで、顧客の撮影ニーズに応えられるようにすることができる。
【００９１】
また、特定のタレント向けに作成し、調整または変更された撮影プログラムで撮影された写真が芸能雑誌に掲載され、掲載された撮影条件での写真撮影を希望するユーザが現れることも想定される。このようなケースでも、タレントと同じ撮影環境を再現して撮影を行えるので、あこがれのタレントと同じ撮影スタジオ、同じ照明環境で撮影が行えることもセールスポイントになり、ユーザにより高い満足度を提供する写真撮影を可能にする。なお、あこがれのタレントと同じ写真撮影を求めるユーザに対し、写真撮影スタジオではタレントの身につけていた衣装と同じデザインの衣装や同じヘアスタイルのかつらなどを用意しておき、撮影時にこれらを提供することによりさらなる顧客満足度を提供できるものと推測される。
【００９２】
このように、本発明に係る写真撮影システムでは円滑な写真撮影を行えるようにするとともに、顧客である被写体に快適かつ効率のよい撮影環境を提供することが可能である。
【００９３】
本発明では、ポートレートなどの人物写真撮影用の撮影スタジオで顧客から受けた予約情報を顧客来所時に活用するとともに、撮影スタジオ内での撮影手順をプログラム化しておきスタジオでの撮影をこのプログラムに基づいて行えるようにしている。その結果、撮影スタジオ内に設けられた照明装置を撮影開始までに人手をかけずに立ち上げられるようになり、かつ、撮影時には各シーンに合った照明条件を人手をかけずに設定できるので、スタジオでの撮影作業がスムーズに行えるようになった。
【００９４】
特に、七五三や卒業シーズンのように写真館がとても繁忙になる時期に、スタジオの準備作業や撮影作業に手間をかけず、また、時間のロスにより顧客を待たせるようなことを起こさずにスムーズな撮影が行えるようになった。
【図面の簡単な説明】
【００９５】
【図１】写真撮影スタジオでの撮影状態を示すイメージ図である。
【図２】本発明に係る写真撮影スタジオ（店舗）の一例を示す平面図である。
【図３】本発明に係る写真撮影システムのブロック図である。
【図４】図２のＡスタジオで行われる写真撮影動作に対応する照明条件（輝度）の変動を示す模式図である。
【図５】複数のスタジオで撮影を行うときの時間軸に対する照明条件（輝度）の変動を示す模式図である。
【図６】本発明に係る写真撮影スタジオで行われる撮影のフローチャートである。
【図７】業務フローチャートと顧客の状態を関連づけた模式図である
【符号の説明】
【００９６】
１  写真撮影スタジオ（店舗）
１０、１０ａ、１０ｂ、１０ｃ、１０ｄ  撮影スタジオ
１１  ライト
１２  ロールスクリーン
１５  受付スペース
１６  制御スペース
２  写真撮影システム
２１  撮影装置（カメラ）
２３、２３’  サーバ（制御装置）
２４  被写体検出装置
２５  ストロボライト
２６  室内照明用照明装置
２７  ストロボ用電源
２８  電源
２９  撮影用補助光源
３０  データベース
３１  情報入力装置
３２  カードリーダ
３３  空調機器
３４  モニタ
Ｈ  被写体（顧客、ユーザ）
【図１】
2006243601.tif 000003
【図２】
2006243601.tif 000004
【図３】
2006243601.tif 000005
【図４】
2006243601.tif 000006
【図５】
2006243601.tif 000007
【図６】
2006243601.tif 000008
【図７】
2006243601.tif 000009